(57)【要約】【課題】  テンプルのフィッティング機能を向上することができ、異種材料が調和した一体感のあるフレームデザインを実現することも可能で、しかも、生産性も非常に高いバネ蝶番式眼鏡フレームを提供すること。【解決手段】  前記フロント枠１の持出し部後端にテンプル２前端部を近接して配置すると共に、このテンプル２前端部の内面側には、合成樹脂材料から作製され、かつ、前端部に回動蝶片が形成された弾性アーム３の後端部31を固定する一方、前記弾性アーム３を、前記持出し部の後端部に配設された蝶片に回動蝶片をピボットでヒンジ連結して回動自在とすると共に、前記回動蝶片の周面部には、前記持出し部の後端に当接して弾性アーム３の回動を制止可能な突起状のストッパー部を設けて、制止した弾性アーム３を撓曲させることによりテンプル２の拡開操作に弾力的な反発力を付与した。【選択図】  図１
0003135210.tif 000002
【実用新案登録請求の範囲】
【請求項１】
フロント枠１両側に連結されたテンプル２・２の折畳み・拡開操作に際し当該両テンプルに対して内側への付勢力を生じせしめるバネ蝶番式眼鏡フレームにおいて、
前記フロント枠１の持出し部11後端にテンプル２前端部を近接して配置すると共に、このテンプル２前端部の内面側には、合成樹脂材料から作製され、かつ、前端部に回動蝶片32が形成された弾性アーム３の後端部31を固定する一方、
この弾性アーム３を、前記持出し部11の後端部に配設された蝶片12・12に回動蝶片32をピボット13でヒンジ連結して回動自在とすると共に、前記回動蝶片32の周面部には、前記持出し部11の後端に当接して弾性アーム３の回動を制止可能な突起状のストッパー部33を設けて、制止した弾性アーム３を撓曲させることによりテンプル２の拡開操作に弾力的な反発力を付与することを特徴とするバネ蝶番式眼鏡フレーム。
【請求項２】
弾性アーム３の内側形状が円弧状に湾曲しているとことを特徴とする請求項１記載のバネ蝶番式眼鏡フレーム。
【請求項３】
弾性アーム３の材料としてポリフェニルサルフォン樹脂を使用したことを特徴とする請求項１または２記載のバネ蝶番式眼鏡フレーム。
【請求項４】
弾性アーム３のストッパー部33とフロント枠１の持出し部11後端とが嵌合形状で作製されていることを特徴とする請求項１〜３の何れか一つに記載のバネ蝶番式眼鏡フレーム。
【請求項５】
テンプル２前端部の内面側に弾性アーム３が出入可能なチャンネル溝21を形成し、このチャンネル溝21の後部に弾性アーム３の後端部31を固定したことを特徴とする請求項１〜４の何れか一つに記載のバネ蝶番式眼鏡フレーム。
【請求項６】
弾性アーム３の後端部31に設けた貫通孔34の開口部に沈み穴35を形成し、この沈み穴35にナット部材36を嵌装する一方、テンプル２の下部に設けた挿通孔22から前記貫通孔34を通して挿入したボルト部材37を前記ナット部材36に螺着して弾性アーム３をテンプル２に固定したことを特徴とする請求項５記載のバネ蝶番式眼鏡フレーム。
【考案の詳細な説明】
【技術分野】
【０００１】
本考案は、バネ蝶番式眼鏡フレームの改良、詳しくは、意匠性を損なうことなくテンプルのフィッティング機能を向上することができ、併せて、異種材料が調和した一体感のあるフレームデザインを実現することも可能で、しかも、生産面でも有利なバネ蝶番式眼鏡フレームに関するものである。
【背景技術】
【０００２】
周知のとおり、眼鏡フレームにおいてはテンプルのフィット感を向上するために、テンプルの開閉操作に反発力を付与するバネ蝶番機構が採用されることが多い。
【０００３】
そして、従来のバネ蝶番機構はコイルバネを使用したものがよく知られているが、このコイルバネをテンプルに内蔵させた構造はテンプルデザインが不格好になるだけでなく、形状や構造が複雑化して部品の製造及びその組立てに手間がかかるという問題があった（例えば、特許文献１参照）。
【０００４】
そこで、従来においては、＜特許文献２＞にあるような、フロント枠の持出し部とテンプルとのヒンジ連結部にＵ字状の薄板材から成るバネ片を介装し、テンプルを一定以上広げた際に前記介装したバネ片の両端部が閉じることでテンプルが内側に付勢されるバネ蝶番構造が公知となっている。
【０００５】
しかしながら、上記従来のバネ蝶番機構は、付勢状態でテンプルを拡開できる角度がＵ字状バネ片の幅によって制限されてしまったことから、頭部幅の大きい使用者が適当なフィッティング効果を得られない場合があり、また逆に、テンプルの拡開角度を広げるために幅の広いＵ字状バネ片を使用するとヒンジ連結部だけが極端に太くなってデザイン的に違和感が生じてしまうという欠点があった。
【０００６】
一方、従来においては、＜特許文献３＞にあるように、テンプル又はフロント枠の持出し部の端部を切欠いてバネ片を固定し、このバネ片を回動蝶片の突起部で押圧することによりテンプルの開閉操作に弾性的な反発力を付与したバネ蝶番機構も公知となっている。
【０００７】
ところが、上記従来のバネ蝶番機構に関しては、テンプル等の切欠部からバネ片が剥き出しに見える形状で何ら外観的な工夫が凝らされていなかったため、金属フレームに対して軽量で形態自由度の高い合成樹脂製のバネ片を使用した際に、材質の異なるバネ片が意匠的に浮いてしまい、眼鏡フレームが一体感に欠けたちぐはぐなデザインになりがちであった。
【特許文献１】特開平６−２４２４０６号公報（第２−４頁、第１〜６図）
【特許文献２】特開２００５−２５７７８５号公報（第２−６頁、第１〜３図）
【特許文献３】特開２０００−１４７４３８号公報（第２−２５頁、第１〜３５図）
【考案の開示】
【考案が解決しようとする課題】
【０００８】
本考案は、この上記の問題に鑑みてなされたものであって、その目的とするところは、意匠性を損なうことなくテンプルのフィッティング機能を向上することができ、併せて、異種材料が調和した一体感のあるフレームデザインを実現することも可能で、しかも、生産性も非常に高いバネ蝶番式眼鏡フレームを提供することにある。
【課題を解決するための手段】
【０００９】
本考案者が、上記課題を解決するために採用した手段を添付図面を参照して説明すれば次のとおりである。
【００１０】
即ち、本考案は、フロント枠１両側に連結されたテンプル２・２の折畳み・拡開操作に際し当該両テンプルに対して内側への付勢力を生じせしめるバネ蝶番式眼鏡フレームにおいて、
前記フロント枠１の持出し部11後端にテンプル２前端部を近接して配置すると共に、このテンプル２前端部の内面側には、合成樹脂材料から作製され、かつ、前端部に回動蝶片32が形成された弾性アーム３の後端部31を固定する一方、
前記弾性アーム３を、前記持出し部11の後端部に配設された蝶片12・12に回動蝶片32をピボット13でヒンジ連結して回動自在とすると共に、前記回動蝶片32の周面部には、前記持出し部11の後端に当接して弾性アーム３の回動を制止可能な突起状のストッパー部33を設けて、制止した弾性アーム３を撓曲させることによりテンプル２の拡開操作に弾力的な反発力を付与した点に特徴がある。
【００１１】
また、本考案においては、上記課題を解決するために、必要に応じて上記手段に加え、弾性アーム３を内側が円弧状に湾曲した形状で作製するという技術的手段を採用することができる。
【００１２】
また、本考案においては、上記課題を解決するために、必要に応じて上記手段に加え、弾性アーム３の材料としてポリフェニルサルフォン樹脂のごときエンジニアリングプラスチック材料を使用するという技術的手段を採用することができる。
【００１３】
また、本考案においては、上記課題を解決するために、必要に応じて上記手段に加え、弾性アーム３のストッパー部33とフロント枠１の持出し部11後端とを嵌合形状で作製するという技術的手段を採用することができる。
【００１４】
また、本考案においては、上記課題を解決するために、必要に応じて上記手段に加え、テンプル２前端部の内面側に弾性アーム３が出入可能なチャンネル溝21を形成し、このチャンネル溝21の後部に弾性アーム３の後端部31を固定するという技術的手段を採用することができる。
【００１５】
また、本考案においては、上記課題を解決するために、必要に応じて上記手段に加え、弾性アーム３の後端部31に設けた貫通孔34の開口部に沈み穴35を形成し、この沈み穴35にナット部材36を嵌装する一方、テンプル２の下部に設けた挿通孔22から前記貫通孔34を通して挿入したボルト部材37を前記ナット部材36に螺着して弾性アーム３をテンプル２に固定するという技術的手段を採用することができる。
【考案の効果】
【００１６】
本考案においては、フロント枠の持出し部後端に近接して配置したテンプル前端部に合成樹脂材料から成る弾性アームを固定し、更にこの弾性アームの回動蝶片を持出し部の蝶片にヒンジ連結して回動自在とすると共に、弾性アームの回動蝶片の周面に突起状のストッパー部を形成してこのストッパー部により弾性アームの回動を制止可能に構成したことにより、テンプルを一定以上外側に拡開すれば、制止した弾性アームが負荷により撓曲してテンプルの拡開操作に弾力的な反発力を生じせしめることができるため、眼鏡の装着時において良好なフィット感を得ることができる。
【００１７】
しかも、弾性アームの撓曲変形による反発力を利用したことによって、テンプル前端が弾性アームに接触しない限りテンプルの拡開角度が不要に制限されることもないため、頭部幅の異なる様々な使用者に対して同様のフィッティング機能を発揮することができる。
【００１８】
さらに、弾性アームのストッパー部は、フロント枠の持出し部とテンプルに挟まれて特徴的なワンポイントの意匠効果を奏するため、フレームが金属材料などの異種材料であっても意匠的に調和した一体感のあるフレームデザインを実現することが可能である。
【００１９】
また、弾性アームは合成樹脂材料の一体成形により容易に作製することができ、その組立て作業も非常に簡単であることから、製造面でも非常に都合が良い。
【００２０】
したがって、本考案により、フィッティング機能に優れるだけでなく、ファッション性も高いバネ蝶番式眼鏡フレームを安価に提供できることから、本考案の実用的利用価値は非常に高いと云える。
【考案を実施するための最良の形態】
【００２１】
『実施例１』
本考案の実施例１を具体的に図示した図１から図６に基いて更に詳細に説明すると次のとおりである。まず、図中において符号１で指示するものは、金属製フロント枠であり、符号２で指示するものは、金属製テンプルである。次いで、符号３で指示するものは、弾性アームである。
【００２２】
次に、本実施例の構成を以下から説明する。まず、本実施例においては、フロント枠１の持出し部11後端にテンプル２の前端部を近接して配置し、このテンプル２前端部の内面側には、合成樹脂材料から作製し、かつ、前端部に回動蝶片32を形成した弾性アーム３の後端部31を固定した（図１、図２参照）。
【００２３】
そして、フロント枠１の持出し部11の後端部に配設した蝶片12・12に弾性アーム３の回動蝶片32をピボット13でヒンジ連結して弾性アーム３を回動自在に接続した。
【００２４】
一方、弾性アーム３の回動蝶片32の周面部には、前記持出し部11の後端に当接するように突起状のストッパー部33を設けて弾性アーム３の過拡開を制止可能とした。
【００２５】
上記のように構成したことによって、図３に示すように、フロント枠１両側に連結されたテンプル２・２を一定以上外側に拡開すれば制止した弾性アーム３が負荷により撓曲してテンプル２・２の拡開操作に弾力的な反発力を生じせしめることができるため、眼鏡を装着した際に良好なフィット感を得ることができる。
【００２６】
なお本実施例では、弾性アーム３の材料として高強度・高弾性の物性を有するポリフェニルサルフォン(PPSU)樹脂を使用しているため、弾性アーム３が細くても使用に耐え得る強度及び適当な弾性力を保持することができる。
【００２７】
また、弾性アーム３の変形による反発力を利用したことによって、テンプル２前端が弾性アーム３に接触しない限りテンプル２の拡開角度は不要に制限されないため、フィッティング機能の向上を図ることができる。
【００２８】
しかも、本実施例では、弾性アーム３の内側を円弧状に湾曲した形状とすることで、テンプル前端部と弾性アーム３の内面と間に距離を置いているため、テンプル２の拡開角度をより広く採ることができる。
【００２９】
他方また、本考案では図４に示すように、フロント枠１の持出し部11とテンプル２前端部との間に弾性アーム３のストッパー部33が表出することにより、特徴的なワンポイントの意匠効果を得ることもできる。
【００３０】
さらに、本実施例では、弾性アーム３のストッパー部33とフロント枠１の持出し部11後端とを嵌合形状で作製したことにより、フレームデザインの一体感をより高めている。
【００３１】
加えて、テンプル２前端部の内面側に弾性アーム３が出入可能なチャンネル溝21を形成して、このチャンネル溝21の後部に弾性アーム３の後端部31を固定したことにより、弾性アーム３が必要以上に外観に表われることもない。
【００３２】
そして更に、本実施例では、弾性アーム３の後端部31に設けた貫通孔34・34の開口部に沈み穴35を形成し、この沈み穴35にナット部材36を嵌装する一方、テンプル２の下部に配設した挿通孔22・22から前記貫通孔34・34を通して挿入したボルト部材37・37を前記ナット部材36に螺着したことにより、弾性アーム３をテンプル２に対してしっかりと固定することができ、また、外観上にも止着部材が表われることもないため、意匠性も向上する（図５、図６参照）。
【００３３】
なお本実施例では、テンプル２に対する弾性アーム３の固定に複数のボルト部材37・37を使用しているため、一本のボルト部材37を軸として弾性アーム３が回転して位置ズレを起す心配はなく、テンプル２と弾性アーム３とを確実に固定することができる。
【００３４】
そしてまた、弾性アーム３は合成樹脂材料の一体成形により容易に作製でき、その組立ても非常に簡単であることから、生産面でも有利である。
【００３５】
『実施例２』
次に、本発明の実施例２を図７及び図８に基いて説明する。本実施例においては、弾性アーム３のストッパー部33を菱形状に成形し、そのストッパー部33がフロント枠１の持出し部11後端に嵌合するようにして方形以外のワンポイント意匠を形成しており、また、弾性アーム３の後端部31に設けた沈み穴35には汎用的な六角ナットをナット部材36として嵌装して部品製造の手間を省略した（図７、図８参照）。
【００３６】
また、本考案は、概ね上記のように構成されるが、図示の実施形態に限定されるものではなく、「実用新案登録請求の範囲」の記載内において種々の変更が可能であって、例えば、弾性アーム３のストッパー部33の形状は円形や星形等であってもよく、また、表面に彫刻や装飾石を付設するなどして意匠効果を一層高めてもよい。
【００３７】
また、フロント枠１及びテンプル２の材料に関しても金属材料に限らず、合成樹脂材料や鼈甲、木材など一般的なフレーム材料ならば何れを使用することもできる。
【００３８】
そしてまた、弾性アームの材料もポリフェニルサルフォン樹脂でなくとも、同様の弾性及び強度を有したエンジニアリングプラスチック材料ならば他のものを選択してもよく、何れも本考案の技術的範囲に属する。
【産業上の利用可能性】
【００３９】
近年では、眼鏡がファッションアイテムとして多用されるようになったことにより、眼鏡フレームに対しても良好な装着感だけでなく個性的でスマートなデザインが強く求められるようになった。ところが、市場で見られるバネ蝶番式の眼鏡フレームにおいては意匠性に欠けるものが数多く見られる。
【００４０】
そのような中で、本考案のバネ蝶番式眼鏡フレームは、バネ蝶番のフィッティング機能を向上するだけでなく、個性的でファッション性の高いフレームデザインを実現することもできる有用な技術であることから、市場における需要は大きく、本考案の産業上の利用価値は非常に高いと云える。
【図面の簡単な説明】
【００４１】
【図１】本考案の実施例１における眼鏡フレームを表わす説明上面図である。
【図２】本考案の実施例１における眼鏡フレームを表わす拡大斜視図である。
【図３】本考案の実施例１における眼鏡フレームを表わす説明上面図である。
【図４】本考案の実施例１における眼鏡フレームを表わす拡大斜視図である。
【図５】本考案の実施例１における眼鏡フレームを表わす説明断面図である。
【図６】本考案の実施例１における眼鏡フレームを表わす分解斜視図である。
【図７】本考案の実施例２における眼鏡フレームを表わす拡大斜視図である。
【図８】本考案の実施例２における眼鏡フレームを表わす説明上面図である。
【符号の説明】
【００４２】
１  フロント枠
11  持出し部
12  蝶片
13  ピボット
２  テンプル
21  チャンネル溝
22  挿通孔
３  弾性アーム
31  後端部
32  回動蝶片
33  ストッパー部
34  貫通孔
35  沈み穴
36  ナット部材
37  ボルト部材
【図１】
0003135210.tif 000003
【図２】
0003135210.tif 000004
【図３】
0003135210.tif 000005
【図４】
0003135210.tif 000006
【図５】
0003135210.tif 000007
【図６】
0003135210.tif 000008
【図７】
0003135210.tif 000009
【図８】
0003135210.tif 000010